(57)【要約】【課題】原稿搬送読取装置において、読取り画像品質が低下するおそれをなくすとともに、シート原稿の搬送性を良好とする。【解決手段】シート原稿を搬送してコンタクトガラス５１と白基準部材６２との間を通しながら、そのシート原稿の画像情報を、読取ラインＬでコンタクトガラスを透して、固定位置の画像読取手段５０により読み取る。そのような原稿搬送読取装置２００において、原稿厚さ制御信号に基づき、コンタクトガラスと白基準部材との間の隙間を調整する隙間調整手段６０が備えられている。白基準部材としては、原稿搬送方向Ａと直交する軸心まわりに回動可能に支持される軸状回動ホルダ６６に原稿搬送方向上流端が取り付けられ、受け部材６７に原稿搬送方向下流端が摺動自在に載置されて、読取ライン上に頂点が位置し、コンタクトガラス側に向けて凸状となるように湾曲する白色弾性シート６２が設けられている。【選択図】図２
2009260870.tif 000002
【特許請求の範囲】
【請求項１】
シート原稿を搬送してコンタクトガラスと白基準部材との間を通しながら、そのシート原稿の画像情報を読取ラインで前記コンタクトガラスを透して固定位置の画像読取手段により読み取る原稿搬送読取装置において、
原稿厚さ制御信号に基づき、コンタクトガラスと白基準部材との間の隙間を調整する隙間調整手段が備えられていることを特徴とする原稿搬送読取装置。
【請求項２】
前記白基準部材として、原稿搬送方向と直交する軸心まわりに回動可能に支持される軸状回動ホルダに原稿搬送方向上流端が取り付けられ、受け部材に原稿搬送方向下流端が摺動自在に載置されて、前記読取ライン上に頂点が位置し、前記コンタクトガラス側に向けて凸状となるように湾曲する白色弾性シートが設けられていることを特徴とする、請求項１に記載の原稿搬送読取装置。
【請求項３】
前記隙間調整手段に、前記原稿厚さ制御信号に基づき、前記軸状回動ホルダを正逆回転駆動して前記白色弾性シートの湾曲曲率を変更する駆動手段が備えられていることを特徴とする、請求項２に記載の原稿搬送読取装置。
【請求項４】
読取ラインに設けられ、前記白色弾性シートの裏面までの距離を検知する距離検知手段が備えられて、画像読取り時は、その距離検知手段の検知結果に基づき、前記原稿厚さ制御信号に基づく原稿厚さになるように、前記軸状回動ホルダが回転調整されることを特徴とする、請求項２または３に記載の原稿搬送読取装置。
【請求項５】
前記読取ラインの上流位置に、原稿厚さを検知する原稿厚さ検知手段が備えられ、その原稿厚さ検知手段の検知結果に基づき、前記隙間調整手段に前記原稿厚さ制御信号が送信されることを特徴とする、請求項１ないし４のいずれか１に記載の原稿搬送読取装置。
【請求項６】
原稿の種類を入力する操作部が備えられ、その入力結果に基づき、前記隙間調整手段に前記原稿厚さ制御信号が送信されることを特徴とする、請求項１ないし４のいずれか１に記載の原稿搬送読取装置。
【請求項７】
薄紙原稿に対しては、前記コンタクトガラスと前記白基準部材との間に隙間をつくる前記原稿厚さ制御信号が送信されるように制御されることを特徴とする、請求項５または６に記載の原稿搬送読取装置。
【請求項８】
請求項１ないし７のいずれか１に記載の原稿搬送読取装置が備えられていることを特徴とする画像形成装置。
【発明の詳細な説明】
【技術分野】
【０００１】
この発明は、複写機、ファクシミリ、またはそれらの複合機など、記録材に画像を記録する機能とシート原稿の画像情報を読み取る機能とを有する画像形成装置に関する。および、シート原稿の画像情報を読み取る機能を有する画像読取装置、そのうち特にシート原稿を搬送して、コンタクトガラスと白基準部材との間を通しながら、その搬送するシート原稿の画像情報を、読取ラインでコンタクトガラスを透して、固定位置の画像読取手段により読み取る原稿搬送読取装置に関する。
【背景技術】
【０００２】
画像読取装置には、固定原稿の画像面に沿って画像読取手段を走行して画像面を露光走査し、原稿の画像情報を読み取る原稿固定・光学系移動方式（スキャン方式）と、原稿を所定の速度で搬送しながら原稿の画像面を露光し、原稿の画像情報を固定位置の画像読取手段で読み取る原稿移動・光学系固定方式（シートスルー方式）がある。また、この種の画像読取装置には、一般的な画像読取装置で用いられているアナログタイプと、ＣＣＤ等の撮像素子を用いたデジタルタイプとがある。最近では、大型の原稿を読み取り、その後の各種画像処理を実行するのに有利なことから、デジタルタイプの原稿移動・光学系固定方式の画像読取装置が多く採用されるようになってきている。
【０００３】
ところで、このような画像読取装置にあっては、画像読取開始前に所定のタイミングで照明手段を点灯して白基準部材の白基準面を照射し、その反射光を読み取って白画像データを得、白レベル補正用データを採取することによりシェーディング補正を行っている。従来の画像読取装置では、白基準部材は、コンタクトガラスとの間に隙間ができるように設けられていた。または、付勢されてコンタクトガラスに軽く押し当てられるように設けていた。
【０００４】
そして、原稿移動・光学系固定方式の画像読取装置である原稿搬送読取装置では、画像読取り時、搬送ローラでシート原稿を搬送して、コンタクトガラスと白基準部材との間を通しながら、そのシート原稿の画像情報を、読取ラインでコンタクトガラスを透して、固定位置の画像読取手段により読み取っていた。
【０００５】
【特許文献１】特開２００３−１３４３０７号公報
【特許文献２】特開２００３−３２４５８６号公報
【特許文献２】特開２００５−１２３７０４号公報
【特許文献２】特開２００６−２９５６５８号公報
【発明の開示】
【発明が解決しようとする課題】
【０００６】
しかしながら、白基準部材とコンタクトガラスとの間に隙間がある原稿搬送読取装置では、画像読取り時に、第二原図等の半透明のシート原稿を、白基準部材とコンタクトガラスとの間を通して搬送するとき、照明手段による照明で、シート原稿の画像の影が白基準部材に写ってその影も読み取ってしまい、読取り画像品質が低下していた。よって、そのような読取り画像に基づき画像形成を行ったとき、ニジミ画像（地肌汚れ）が発生する問題があった。
【０００７】
また、白基準部材が付勢されてコンタクトガラスに軽く押し当てられるような原稿搬送読取装置では、腰の弱い薄紙原稿が通紙されるときに、搬送抵抗によりシート原稿が座屈して原稿の搬送不良が発生し、原稿を傷めたり、また同様に読取り画像品質が低下したりしていた。よって、そのような読取り画像に基づき画像形成を行ったときにも、ニジミ画像（地肌汚れ）が発生する問題があった。
【０００８】
そこで、この発明の第１の目的は、原稿搬送読取装置において、読取り画像品質が低下するおそれをなくすとともに、シート原稿の搬送性を良好とすることにある。
【０００９】
この発明の第２の目的は、コンタクトガラスと白基準部材との間の隙間の調整を容易とし、簡単に読取り画像品質が低下するおそれをなくすとともに、シート原稿の搬送性を良好とすることにある。
【００１０】
この発明の第３の目的は、コンタクトガラスと白基準部材との間の隙間の調整を、手間なく自動的に行い得るようにすることにある。
【００１１】
この発明の第４の目的は、コンタクトガラスと白基準部材との間を適度の隙間に正確に調整可能とすることにある。
【００１２】
この発明の第５の目的は、コンタクトガラスと白基準部材との間の隙間の調整を行うために必要な原稿厚さの検知を面倒なく自動的に行い得るようにすることにある。
【００１３】
この発明の第６の目的は、構成を複雑化することなく、安価に隙間調整手段に原稿厚さ制御信号を送信可能とすることにある。
【００１４】
この発明の第７の目的は、腰の弱い薄紙原稿が通紙されるときには、原稿の搬送抵抗を少なくしてシート原稿が座屈することなく、原稿が搬送不良を発生するおそれをなくして、原稿を傷めたり、また読取り画像品質が低下したりしないようにすることにある。
【００１５】
この発明の第８の目的は、ニジミ画像が発生するおそれをなくすとともに、シート原稿の搬送性を良好とした原稿搬送読取装置が備えられている画像形成装置を提供することにある。
【課題を解決するための手段】
【００１６】
請求項１に記載の発明は、シート原稿を搬送して、コンタクトガラスと白基準部材との間を通しながら、そのシート原稿の画像情報を、読取ラインでコンタクトガラスを透して、固定位置の画像読取手段により読み取る原稿搬送読取装置において、
原稿厚さ制御信号に基づき、コンタクトガラスと白基準部材との間の隙間を調整する隙間調整手段が備えられていることを特徴とする。
【００１７】
そして、画像読取り時に、原稿厚さ制御信号に基づき、隙間調整手段でコンタクトガラスと白基準部材との間を適度の隙間に調整して後、その隙間にシート原稿を通しながら、搬送するシート原稿の画像情報を、読取ラインでコンタクトガラスを透して、固定位置の画像読取手段により読み取る。
【００１８】
請求項２に記載の発明は、請求項１に記載の原稿搬送読取装置において、白基準部材として、原稿搬送方向と直交する軸心まわりに回動可能に支持される軸状回動ホルダに原稿搬送方向上流端が取り付けられ、受け部材に原稿搬送方向下流端が摺動自在に載置されて、読取ライン上に頂点が位置し、コンタクトガラス側に向けて凸状となるように湾曲する白色弾性シートが設けられていることを特徴とする。
【００１９】
そして、画像読取り時、原稿厚さ制御信号に基づき軸状回動ホルダを回動して白色弾性シートの湾曲曲率を変更し、隙間調整手段でコンタクトガラスと白基準部材との間を適度の隙間に調整する。
【００２０】
請求項３に記載の発明は、請求項２に記載の原稿搬送読取装置において、隙間調整手段に、原稿厚さ制御信号に基づき、軸状回動ホルダを正逆回転駆動して白色弾性シートの湾曲曲率を変更するステップモータ等の駆動手段が備えられていることを特徴とする。そして、画像読取り時、原稿厚さ制御信号に基づき、駆動手段で軸状回動ホルダを回動して白色弾性シートの湾曲曲率を変更する。
【００２１】
請求項４に記載の発明は、請求項２または３に記載の原稿搬送読取装置において、読取ラインに設けられ、白色弾性シートの裏面までの距離を検知する距離検知手段が備えられ、画像読取り時は、その距離検知手段の検知結果に基づき、原稿厚さ制御信号に基づく原稿厚さになるように、軸状回動ホルダが回転調整されることを特徴とする。
【００２２】
請求項５に記載の発明は、請求項１ないし４のいずれか１に記載の原稿搬送読取装置において、読取ラインの上流位置に、原稿厚さを検知する原稿厚さ検知手段が備えられ、その原稿厚さ検知手段の検知結果に基づき、隙間調整手段に原稿厚さ制御信号が送信されることを特徴とする。
【００２３】
請求項６に記載の発明は、請求項１ないし４のいずれか１に記載の原稿搬送読取装置において、原稿の種類を入力する操作部が備えられ、その入力結果に基づき、隙間調整手段に原稿厚さ制御信号が送信されることを特徴とする。そして、ユーザーが操作部を操作して原稿の種類を入力し、その入力結果に基づき、隙間調整手段に原稿厚さ制御信号が送信される。
【００２４】
請求項７に記載の発明は、請求項５または６に記載の原稿搬送読取装置において、薄紙原稿に対しては、隙間調整手段に、コンタクトガラスと白基準部材との間に隙間をつくる原稿厚さ制御信号が送信されるように制御されることを特徴とする。
【００２５】
請求項８に記載の発明は、請求項１ないし７のいずれか１に記載の原稿搬送読取装置が備えられていることを特徴とする、用紙、樹脂フィルム等の記録材に画像を記録する複写機、ファクシミリなどの画像形成装置である。
【発明の効果】
【００２６】
請求項１に記載の発明によれば、原稿搬送読取装置において、画像読取り時、原稿厚さ制御信号に基づき、隙間調整手段でコンタクトガラスと白基準部材との間を適度の隙間に調整するので、第二原図等の半透明のシート原稿を、白基準部材とコンタクトガラスとの間を通して搬送するとき、シート原稿と白基準部材との間に隙間ができないようにし、照明手段により照明しても、シート原稿の画像の影が白基準部材に写らないようにすることが可能であり、影を読み取って読取り画像品質が低下するおそれを解消することができる。また、搬送抵抗が小さいので、腰の弱い薄紙原稿が通紙されるときにも、シート原稿が座屈することなく、原稿の搬送性を良好として、原稿を傷めたり、また同様に読取り画像品質が低下したりするおそれをなくすことができる。
【００２７】
請求項２に記載の発明によれば、原稿厚さ制御信号に基づき軸状回動ホルダを回動して白色弾性シートの湾曲曲率を変更し、隙間調整手段でのコンタクトガラスと白基準部材との間を適度の隙間に調整するので、コンタクトガラスと白基準部材との間の隙間の調整を容易とし、簡単に読取り画像品質が低下するおそれをなくすとともに、シート原稿の搬送性を良好とすることができる。
【００２８】
請求項３に記載の発明によれば、画像読取り時、原稿厚さ制御信号に基づき、駆動手段で軸状回動ホルダを回動して白色弾性シートの湾曲曲率を変更するので、コンタクトガラスと白基準部材との間の隙間の調整を隙間調整手段で自動的に行うことができる。駆動手段としてステップモータを使用すると、コンタクトガラスと白基準部材との間の隙間を、一層簡便かつ正確に調整することができる。
【００２９】
請求項４に記載の発明によれば、読取ラインに別途、白色弾性シートの裏面までの距離を検知する距離検知手段を設けて、画像読取り時は、その距離検知手段の検知結果に基づき、原稿厚さ制御信号に基づく適宜の原稿厚さになるように、軸状回動ホルダが回転調整されるので、コンタクトガラスと白基準部材との間を適度の隙間に正確に調整することができる。
【００３０】
請求項５に記載の発明によれば、原稿厚さ検知手段が備えられ、その原稿厚さ検知手段の検知結果に基づき隙間調整手段に原稿厚さ制御信号が送信されるので、コンタクトガラスと白基準部材との間の隙間の調整を行うために必要なシート原稿の厚さ検知を、原稿厚さ検知手段により面倒なく自動的に行うことができる。
【００３１】
請求項６に記載の発明によれば、ユーザーが操作部を操作して原稿の種類を入力し、その入力結果に基づき、隙間調整手段に原稿厚さ制御信号が送信されるので、原稿厚さ検知手段等を設けて構成を複雑化することなく、安価に隙間調整手段に原稿厚さ制御信号を送信可能とすることができる。
【００３２】
請求項７に記載の発明によれば、薄紙原稿に対しては、隙間調整手段に、コンタクトガラスと白基準部材との間に隙間をつくる原稿厚さ制御信号が送信されるように制御されるので、腰の弱い薄紙原稿が通紙されるときには、原稿の搬送抵抗を少なくしてシート原稿が座屈することなく、原稿が搬送不良を発生するおそれをなくして、原稿を傷めたり、また読取り画像品質が低下したりしないようにすることができる。
【００３３】
請求項８に記載の発明によれば、請求項１ないし７のいずれか１に記載の原稿搬送読取装置が備えられている画像形成装置であるので、上記効果を有する原稿搬送読取装置を有する画像形成装置を提供することができる。
【発明を実施するための最良の形態】
【００３４】
以下、図面を参照しつつ、この発明の実施の最良形態につき説明する。
図１には、原稿搬送読取装置が備えられている画像形成装置の要部の概略構成を示す。図中符号１００は画像形成装置本体、符号２００はその画像形成装置本体１００上に搭載されるシートスルー式の原稿搬送読取装置である。
【００３５】
まず、画像形成装置本体１００内には、図中反時計まわりに回転されるドラム状の像担持体１０が備えられている。像担持体１０のまわりには、上方に設置される帯電装置１２から、回転方向に沿って露光装置１３、現像装置１４、転写分離装置１５、クリーニング装置１６、除電装置１７などが順に配置されている。
【００３６】
像担持体１０の下方には、転写分離装置１５との間の転写分離位置Ｔを通って、図中左から右に向けて、用紙、樹脂フィルム等の記録材が搬送される記録材搬送路１８が形成されている。記録材搬送路１８には、転写分離位置Ｔの上流にレジストローラ対２０が設けられ、下流に記録材搬送装置２２、定着装置２３、搬送ローラ対２４が順に設置されている。搬送ローラ対２４位置の下流で、記録材搬送路１８は、再給紙路２５と排紙路２６とに分岐されており、分岐位置には、切換えレバー２７が配置されている。排紙路２６は、上向きに反転されるように形成されており、最下流位置に排紙ローラ対２８が備えられている。
【００３７】
画像形成装置本体１００上には、排紙ローラ対２８によって排出される記録材を受ける排紙受け３０が形成されている。また、図示省略するが、画像形成装置本体１００の背面（図中右側）には、両面ユニットが取り付けられている。両面ユニットは、再給紙路２５を通して搬送されてきた記録材を反転して画像形成装置本体１００に戻し、画像形成装置本体１００内を通してレジストローラ対２０の上流位置に再給紙する。
【００３８】
次に、原稿搬送読取装置２００は、読取装置本体３００上に開閉装置４００が、背面側を支点に開閉自在に備えられている。そして、それらの間には、図中左から右に向けてシート原稿が搬送される原稿搬送路４０がほぼ水平にストレートに形成されている。原稿搬送路４０には、最上流位置に、読取り画像面を下にしてシート原稿を積載して載置する原稿載置台４２が、上方を開放して読取装置本体３００上に設けられている。
【００３９】
読取装置本体３００側には、原稿搬送路４０に沿って原稿載置台４２から原稿搬送方向に順に、上流側搬送ローラ対６３の駆動ローラ５４、レジスト検知センサ５２の受光部５２ｂ、画像読取手段５０、下流側搬送ローラ対６４の駆動ローラ５５などが備えられている。
【００４０】
画像読取手段５０は、位置固定で備えられており、原稿搬送路４０を搬送するシート原稿の画像情報を読み取る密着型読取センサである。画像読取手段５０には、詳しくは後述する図２に示すように、原稿搬送路４０に面してコンタクトガラス５１が設けられ、また搬送原稿Ｄに光を照射する２つの照明手段５０ａと、原稿Ｄからの反射光を収束する結像レンズ５０ｂと、結像レンズ５０ｂで収束されて受光面で結像した光を光電変換するイメージセンサ５０ｃとが設けられている。
【００４１】
一方、開閉装置４００側には、図１に示すように、原稿搬送路４０に沿って原稿搬送方向上流側から順に、サイズ検知センサ５６、上流側搬送ローラ対６３の従動ローラ５７、レジスト検知センサ５２の発光部５２ａ、白基準部材である白色弾性シート６２、排紙検知センサ５３、下流側搬送ローラ対６４の従動ローラ５８などが備えられている。
【００４２】
ところで、開閉装置４００には、下流側搬送ローラ対６４の下流位置で原稿搬送路４０から分岐して分岐排出路４４が形成されている。分岐排出路４４は、上向きに形成され、湾曲して折り返され、出口位置に排出ローラ対４６が備えられている。また、その開閉装置４００上の正面側には、正面に向けて操作部５９が設けられている。
【００４３】
原稿搬送路４０から分岐排出路４４が分岐する位置には、切換えレバー４８が配置されている。切換えレバー４８は、第１位置と第２位置とに切り換え可能に設けられる。そして、切換えレバー４８を切り換えて第１位置としたときは、原稿搬送路４０を搬送されてきた画像読取り済みのシート原稿は、そのまま原稿搬送路４０を矢印ｂ方向にまっすぐ進んで、画像読取装置２００に水平に外付けされた第１トレイ４５上に排出される。他方、切換えレバー４８を切り換えて第２位置としたときは、原稿搬送路４０を搬送されてきた画像読取り済みのシート原稿は、分岐排出路４４に進んで、反転して搬送され、最下流に設置される排出ローラ対４６で矢印ｃ方向に搬送されて、画像読取装置２００上に立てて外付けされた第２トレイ４７上に排出されるようになっている。
【００４４】
２つの駆動ローラ５７、５８は、各ローラ軸上に複数のゴムローラを間隔をあけて設けることにより構成されており、原稿搬送方向に間隔をあけて互いに平行に備えられ、ローラ軸の両端が不図示の筐体で各々軸受を介して支持されている。２つの駆動ローラ５７、５８間には、画像読取手段５０の読取ラインＬ上に白色弾性シート６２が備えられている。そして、駆動ローラ５７には不図示の付勢部材により従動ローラ５４が押し当てられて上流側搬送ローラ対６３が形成され、駆動ローラ５８には不図示の付勢部材により従動ローラ５５が押し当てられて下流側搬送ローラ対６４が形成されている。
【００４５】
さて、以上のような図示画像形成装置を用いて、いま複数枚のシート原稿のコピーを取るときは、それらのシート原稿を原稿載置台４２上に積載してセットし、操作部５９のスタートスイッチをオンする。すると、画像読取開始前に、黒レベル補正用データ採取後、所定のタイミングで照明手段を点灯して白色弾性シート６２を読み取り、そのときの白画像データを用いて白レベル補正用データを採取し、読取センサ５０の感度補正を行うシェーディング補正が実行される。
【００４６】
シェーディング補正実施後、不図示のステップモータ等で構成したスキャナモータが駆動されてその駆動力がタイミングベルト等の駆動伝達手段を介して駆動ローラ５７、５８に伝達される。そして、原稿載置台４２上のシート原稿は、不図示の給送ローラの回転により図１の矢印ａ方向に送り込まれ、サイズ検知センサ５６でシート原稿の挿入が検知されてから、駆動ローラ５７と従動ローラ５４との間に挿入されて上流側搬送ローラ対６３で原稿搬送路４０を通して搬送され、コンタクトガラス５１と白色弾性シート６２との間を通しながら、その搬送原稿の画像情報が、読取ラインＬでコンタクトガラスを透して、固定位置の画像読取手段５０で読み取られるようになっている。そして、画像読取り済みのシート原稿が下流側搬送ローラ対６４で搬送され、切換えレバー４８で切り換えて第１トレイ４５または第２トレイ４７上に排出される。
【００４７】
このとき、サイズ検知センサ５６で原稿の挿入を検知するとともに原稿サイズを検知し、レジスト検知センサ５２の手前で一時停止して、任意設定された待機時間後にスキャナモータを再回転し、画像読取手段５０と白色弾性シート６２間に搬送される。そして、レジスト検知センサ５２で原稿の先端を検知してから所定のパルス数経過後に、画像読取手段５０で読取り画像面の読取りを開始するようにし、そののち排紙検知センサ５３で原稿の通過を検知する。
【００４８】
駆動ローラ５７は、電磁ブレーキクラッチを介して駆動制御されており、サイズ検知センサ５６の原稿挿入検知信号により電磁ブレーキクラッチが作動して駆動される。原稿先端が駆動ローラ５５を通過後、原稿後端がサイズ検知センサ５６を通過するまでの所定任意位置で電磁ブレーキクラッチの作動が切れるようにしており、先行している原稿が原稿搬送読取装置２００から排出されるまで、次の原稿が挿入できないようにしている。さらに、スキャナモータの駆動力は、ギア、タイミングベルトを介して排出ローラ対４６にも伝達されるようになっている。ここで、各原稿搬送ローラの周速は、順次周速を若干早くしており、原稿がローラ間で弛まないようにしている。
【００４９】
この例において、スキャナモータの回転速度制御は、原稿搬送速度になるように回転速度は決められたパターンで制御されている。変倍時での回転速度は、等倍時を１００％とした場合、等倍時の回転速度÷変倍率で制御され、例えば１００％時１０ｒｐｍとした場合、５０％時では、２０ｒｐｍで回転することになる。
【００５０】
画像形成装置本体１００では、像担持体１０を回転して帯電装置１２で表面を一様に帯電し、次いで密着イメージセンサ５０の読取り内容に基づき露光装置１３で書き込みを行って静電潜像を形成し、そののち現像装置１４でトナーを付着することによりその静電潜像を現像して像担持体１０上にトナー像を形成する。
【００５１】
他方、記録材セット位置から適宜のタイミングで記録材を給送して記録材搬送路１８を通して搬送し、レジストローラ対２０でタイミングを取って転写分離位置Ｔに記録材を送り込み、上述したごとく像担持体１０上に形成したトナー像を転写分離装置１５で記録材に転写するとともに、トナー像転写後の記録材を像担持体１０から分離し、記録材搬送装置２２で搬送して定着装置２３で転写画像を定着して後、切換えレバー２７で切り換えて矢印ｄ方向に搬送し、排紙受け３０上に排出する。裏面にも画像を形成するときには、切換えレバー２７で切り換えて矢印ｅ方向に搬送し、不図示の両面ユニットで反転して再給紙する。
【００５２】
図２には、原稿搬送読取装置２００の要部構成を拡大して示す。
図示するように、原稿搬送読取装置２００の開閉装置４００内には、読取装置本体３００の画像読取手段５０と対向して隙間調整手段６０が備えられている。隙間調整手段６０には、ＰＥＴフィルムシートなどからなる上述した白色弾性シート６２、その図中矢印Ａで示す原稿搬送方向の上流端側が止めねじ６５によって固定されている軸状回動ホルダ６６、白色弾性シート６２の原稿搬送方向Ａの下流端側が摺動自在に載置されている受け部材６７、ギア等よりなる不図示の駆動伝達手段を介して軸状回動ホルダ６６に接続されているステップモータ６８、距離検知手段である距離センサ６９などが備えられている。
【００５３】
軸状回動ホルダ６６は、不図示の筐体により、原稿搬送方向Ａと直交する軸心まわりに回動可能に支持されており、図示されていない検知板が取り付けられて、その検知板を透過センサで検知することによりホームポジションが決定されるようになっている。また、受け部材６７も、軸状をなし、原稿搬送方向Ａと直交する方向に向けて両端を不図示の筐体により支持されている。これにより、白色弾性シート６２は、読取ラインＬ上に頂点が位置して、コンタクトガラス５１側に向けて凸状となるように湾曲して設けられている。
【００５４】
そして、原稿厚さ制御信号に基づき、ステップモータ６８を駆動して軸状回動ホルダ６６を正逆回転駆動し、白色弾性シート６２の上流端の支持角度を変更して白色弾性シート６２の下流端側は受け部材６７上を摺動し、白色弾性シート６２の湾曲曲率を変えて、コンタクトガラス５１と白色弾性シート６２との間の隙間を調整することができるようになっている。
【００５５】
白色弾性シート６２の裏側の読取ラインＬ上には、白色弾性シート６２の裏面までの距離を検知して、コンタクトガラス５１と白色弾性シート６２との間の隙間を調整する距離センサ６９が設置されている。そして、通常時は、白色弾性シート６２の裏面までの距離を検知して、白色弾性シート６２の表面がコンタクトガラス５１に軽く接触するように軸状回動ホルダ６６を回動調整している。読取り時は、白色弾性シート６２の裏面までの距離を検知して、原稿厚さ制御信号に基づく原稿厚さになるように、軸状回動ホルダ６６を回動調整する。
【００５６】
他方、読取ラインＬの上流位置である上流側搬送ローラ対６３位置には、隙間調整手段６０に原稿厚さ制御信号を送信するために、原稿厚さを検知する原稿厚さ検知手段７０が備えられている。なお、この図２においては、図１に示したサイズ検知センサ５６、レジスト検知センサ５２、排紙検知センサ５３などは、図示省略されている。
【００５７】
図３には、原稿厚さ検知手段７０位置を拡大して示し、（Ａ）は平面、（Ｂ）は側面である。
図示するように、原稿厚さ検知手段７０には、原稿Ｄの裏面までの距離を検知する距離検知センサ７１、筐体により支持されるガイドマイラ（登録商標）７２、そのガイドマイラ７２により押し付けられて原稿Ｄが接触して通過する基準板７３などが備えられている。そして、搬送原稿Ｄが距離検知センサ７１位置を通過するとき、基準板７３までの距離を０として、原稿裏面までの距離を距離検知センサ７１で検知し、原稿厚さ検知手段７０により原稿Ｄの厚さを検知する。
【００５８】
そして、その検知結果が不図示の制御装置に送られて制御装置から原稿厚さ制御信号が発せられ、その原稿厚さ制御信号に基づきステップモータ６９が駆動され、駆動伝達手段を介して軸状回動ホルダ６６を正逆回転し、白色弾性シート６２の湾曲曲率を変更してコンタクトガラス５１との隙間を若干多めに調整する。すなわち、図２において、Ｂ方向に回転すると、湾曲曲率が大きくなってコンタクトガラス５１との隙間が大きくなり、反対にＣ方向に回転すると、湾曲曲率が小さくなってコンタクトガラス５１との隙間が小さくなる。その後、距離センサ６９で白色弾性シート６２の裏面までの距離を検知してその検知結果に基づきステップモータ６８を制御し、原稿厚さ検知手段７０で検知した原稿Ｄの厚さに調整する。
【００５９】
この例では、距離センサ６９を設けているが、距離センサ６９を設けることなく、ステップモータ６８の駆動パルス数と白色弾性シート６２の変位量との関係をあらかじめ実験により求めておき、その関係から、原稿厚さ検知手段７０の検知結果に基づき直接、白色弾性シート６２とコンタクトガラス５１との隙間を調整するようにしてもよい。
【００６０】
また、原稿厚さ検知手段７０を設けることなく、操作部５９から原稿Ｄの種類を入力することにより、その入力結果に基づき隙間調整手段６０に原稿厚さ制御信号が送信されるようにし、その原稿厚さ制御信号に基づきステップモータ６９が駆動され、駆動伝達手段を介して軸状回動ホルダ６６を正逆回転し、白色弾性シート６２の湾曲曲率を変更してコンタクトガラス５１との隙間を調整するようにしてもよい。
【００６１】
また、薄紙原稿のときには、コンタクトガラス５１と白基準部材との間に隙間をつくる原稿厚さ制御信号が送信されるように制御されるとよい。このようにすると、腰の弱い薄紙原稿が通紙されるときには、コンタクトガラス５１と白基準部材との間に隙間をつくって原稿の搬送抵抗を少なくし、シート原稿が座屈することなく、原稿が搬送不良を発生するおそれをなくして、原稿を傷めたり、また読取り画像品質が低下したりしないようにすることができる。
【図面の簡単な説明】
【００６２】
【図１】原稿搬送読取装置が備えられている画像形成装置の要部概略構成図である。
【図２】その原稿搬送読取装置の要部構成拡大図である。
【図３】その原稿厚さ検知手段位置を拡大して示し、（Ａ）は平面図、（Ｂ）は側面図である。
【符号の説明】
【００６３】
５０    画像読取手段（密着型読取センサ）
５１    コンタクトガラス
５９    操作部
６０    隙間調整手段
６２    白色弾性シート（白色弾性シート）
６６    軸状回動ホルダ
６７    受け部材
６８    ステップモータ
６９    距離センサ（距離検知手段）
７０    原稿厚さ検知手段
１００    画像形成装置本体
２００    原稿搬送画像読取装置
Ａ      原稿搬送方向
Ｄ      原稿
Ｌ      読取ライン
【図１】
2009260870.tif 000003
【図２】
2009260870.tif 000004
【図３】
2009260870.tif 000005